(57)【要約】【課題】従来の収納袋を装着する折畳み方式の組立収納容器においては、収納袋がゴミ等の収納物にて満杯となり別の収納容器に移し替える場合、収納物を取出した収納袋を再度取り付けるような簡単とはいえない作業となり問題があった。【解決手段】扁平状に折畳み自在なる筒状に形成した外枠内に、側面補強体となるところの扁平状に折畳み自在なる筒状に形成した内枠を並設し、内枠内にＶ字形に配設した傾斜板上に、扁平状に折畳み自在なる逆山形状の収納体を載置した。これにより、収納体の着脱が容易であり、収納物を別の収納容器に簡単に移し替えができるところの組立収納容器にすることができる。【選択図】図１
2006347768.tif 000002
【特許請求の範囲】
【請求項１】
開閉自在なる折曲げ線により折畳み自在なる筒状に形成した外枠の４側板のうち、対向する１対の側板内側に沿って四辺形なる１対の傾斜板を付設し、前記傾斜板上辺のみ前記外枠の側板上部に接合し、この接合部に有する折曲げ線をもって前記傾斜板は開閉自在とし、前記傾斜板上部に収納袋開口縁を保持するところの係止孔をそれぞれ配設して収納袋を着脱自在に装着し、前記外枠の内側に開閉自在なる折曲げ線により折畳み自在なる筒状に形成した側面補強体を並設する組立収納容器において、前記傾斜板に沿うところのＶ字形断面の収納板と、これに対応する両側の逆三角形の対向する横板を、開閉自在なる折曲げ線により折畳み自在なる逆山形状に形成したところの収納体を着脱自在に装着することを特徴とする組立収納容器。
【請求項２】
前記傾斜板と対応的凹凸をもって互いに接合する分割板により、前記傾斜板上辺を接合しないところの対向する１対の前記外枠の側板に平行して前記側面補強体を分割し、これに対応する１対の分割収納体を設けた請求項１記載の組立収納容器。
【請求項３】
中央付近には収納物投入口を有して前記側面補強体の上部開口部を閉塞し、対向する２辺には前記傾斜板の係止孔に挿入される係止凸部を突設した閉塞板を設けた請求項１又は２記載の組立収納容器。
【発明の詳細な説明】
【技術分野】
【０００１】  本発明は、家庭・事務所等で使用されるもので、主としてゴミや廃品等を収集するための組立収納容器に関する。
【背景技術】
【０００２】  従来の折畳み方式の組立収納容器には、断面形状が略正方形の筒状なる外枠の４側板のうち、対向する１対の側板内側に、収納袋を着脱自在に装着する係止孔を配設した対向する１対の傾斜板を付設し、この外枠内に筒状に形成した側面補強体となるところの内枠を並設した構造のものがある。【０００３】  以下、図８〜図１４及び図１５〜図１８により、従来の組立収納容器Ｃ及びＤについて説明する。【０００４】  先ず、図８〜図１４により従来の組立収納容器Ｃを説明する。
組立収納容器Ｃは外枠１、内枠２、傾斜板Ｃ３、閉塞板Ｃ４、収納袋６より構成されている。
外枠１は１枚の厚み０．２ｍｍ程度の厚紙を用い、４枚の側板１ａ〜１ｄからなるところの断面形状が略正方形なる筒状にしたものであり、４角１ｅ〜１ｈのうちの角１ｅにて、一方の側板１ｄにのり代１ｉを設けて、他方の側板１ａに接着剤で貼り合わせたものである。
また、外枠１は、４角１ｅ〜１ｈに配設した折曲げ線１ｊ〜１ｍと、対向する一対の側板１ｂ、１ｄを４角１ｅ〜１ｈの折曲げ線１ｊ〜１ｍに平行してそれぞれ二等分するところの折曲げ線１ｎ、１ｏにより、折畳まれた状態より筒状に組立てされたものであり、対向する側板１ａ、１ｃ間に側板１ｂ、１ｄが折畳まれて、外枠１は扁平状に折畳まれることとなる。【０００５】  内枠２は１枚の厚み０．５ｍｍ程度の厚紙を用い、４枚の側板２ａ〜２ｄからなるところの断面形状が、外枠１より一回り小さい略正方形なる筒状にて、ほぼ同等な高さの外忰１の中に、下方向より挿入して収めたものであり、４角２ｅ〜２ｈのうちの角２ｅにて、一方の側板２ｄにのり代２ｉを設けて、他方の側板２ａに接着剤で貼り合わせている。
したがって、内枠２は、４角２ｅ〜２ｈに配設した折曲げ線２ｊ〜２ｍと、対向する一対の側板２ｂ、２ｄを４角２ｅ〜２ｈの折曲げ線２ｊ〜２ｍに平行してそれぞれ二等分するところの折曲げ線２ｎ、２ｏにより、折畳まれた状態より筒状に組立てされたものであり、対向する側板２ａ、２ｃ間に側板２ｂ、２ｄが折畳まれて、内枠２も扁平状に折畳まれることとなる。
また、それぞれ略正方形なる筒状に組立した外枠１の内側に内枠２を挿入して、外枠１の側板１ａ〜１ｄのうちの二等分するところの折曲げ線１ｎ、１ｏを有する対向する一対の側板１ｂ、１ｄに、内枠２の側板２ａ〜２ｄのうちの二等分するところの折曲げ線２ｎ、２ｏを有しない対向する一対の側板２ａ、２ｃが位置することとなるならば、外枠１の側板１ｂ、１ｄは、内枠２の側板２ａ、２ｃにより側面補強され、安定した形状にすることとなる。【０００６】  二等分する位置の折曲げ線Ｃ３ａをもって左右に対称なる四辺Ｃ３ｂ〜Ｃ３ｅからなる長方形の傾斜板Ｃ３も、厚み０．５ｍｍ程度の厚紙を用い、対向する短辺Ｃ３ｂ、Ｃ３ｄにそれぞれ平行するところの折曲げ線Ｃ３ｆ、Ｃ３ｇを配設し、この間にそれぞれのり代Ｃ３ｈ、Ｃ３ｉを設けて、外枠１の対向する側板１ａ、１ｃ内側に上辺１ｐ、１ｑに沿って接着剤で貼り合わせている。したがって、外枠１が略正方形なる筒状に組立された場合、傾斜板Ｃ３の二等分する位置の折曲げ線Ｃ３ａは、外枠１の下部開口部１ｒの２分割線１ｓ上、すなわち、この外枠１を載置するところの床面上にて折曲げられて、傾斜板Ｃ３はＶ字形に形成されることとなり、折曲げ線Ｃ３ａ、Ｃ３ｆ、Ｃ３ｇをもって側板１ａ、１ｃに対して開閉自在となる。
なお、外枠１を折畳み状態とした場合、外枠１の側板１ｂ、１ｄが傾斜板Ｃ３のＶ字形断面の間に折畳まれることとなるが、この時の側板１ｂ、１ｄの開閉を容易なものとするために、傾斜板Ｃ３の折曲げ線Ｃ３ａ上には両端に切込線Ｃ３ｉ、Ｃ３ｋを配設している。
また、外枠１の内側に内枠２を挿入した場合、傾斜板Ｃ３の対向する長辺Ｃ３ｃ、Ｃ３ｅが内枠２の側板２ａ、２ｃに当接して略正方形なる筒状を保持するのであるから、内枠２の側板２ａ、２ｃが、外枠１と傾斜板Ｃ３の対向する長辺Ｃ３ｃ、Ｃ３ｅとの間にスムーズに挿入できる範囲でもって、傾斜板Ｃ３の対向する短辺Ｃ３ｂ、Ｃ３ｄの長さは、内枠２の対向する側板２ａ、２ｃの間隔に近い長さとしている。【０００７】  また、プラスチック製の収納袋６の開口部の、略正方形に整形した場合の対向する収納袋開口縁６ａ、６ｂが、指先で挿入できるところの四辺Ｃ３ｌ〜Ｃ３ｏ、Ｃ３ｐ〜Ｃ３ｓからなる長方形の係止孔Ｃ３ｔ、Ｃ３ｕを、傾斜板Ｃ３の短辺Ｃ３ｂ、Ｃ３ｄののり代Ｃ３ｈ、Ｃ３ｉに沿ってそれぞれ並設している。なお、外枠１を略正方形なる筒状に組立して傾斜板Ｃ３がＶ字形に形成される場合、係止孔Ｃ３ｔ、Ｃ３ｕは傾斜した傾斜板Ｃ３に開口しており、係止孔Ｃ３ｔ、Ｃ３ｕの下には必ず収納袋開口縁６ａ、６ｂが収まる空間が存在することとなり、収納袋開口縁６ａ、６ｂの挿入は簡単なものとなり、収納袋６は着脱自在に装着できることとなる。【０００８】  閉塞板Ｃ４は、厚み０．５ｍｍ程度の厚紙を用いて、四辺Ｃ４ａ〜Ｃ４ｄからなる長方形の閉塞部Ｃ４ｅの対向する長辺Ｃ４ｂ、Ｃ４ｄの中央部分に、上記傾斜板Ｃ３の係止孔Ｃ３ｔ、Ｃ３ｕに挿入するところの四辺Ｃ４ｉ〜Ｃ４ｍ、Ｃ４ｎ〜Ｃ４ｑからなる長方形なる係止凸部Ｃ４ｆ、Ｃ４ｇをそれぞれ接合して、閉塞板Ｃ４の外形形状としては正方形の四角を切り取ったような形状となっている。
なお、この閉塞部Ｃ４ｅは、対向する内枠２の側板２ａ、２ｃと、Ｖ字形に折畳んだ傾斜板Ｃ３により形成される開口部のうち、傾斜板Ｃ３の係止孔Ｃ３ｔ、Ｃ３ｕの下辺Ｃ３ｍ、Ｃ３ｓの高さにおける開口部より一回り小さくしたものとしている。
したがって、傾斜板Ｃ３の係止孔Ｃ３ｔ、Ｃ３ｕに挿入された閉塞板Ｃ４の対向する係止凸部Ｃ４ｆ、Ｃ４ｇは、収納袋開口縁６ａ、６ｂを挿入したところの係止孔Ｃ３ｔ、Ｃ３ｕの下辺Ｃ３ｍ、Ｃ３ｓ上に載置され、閉塞板Ｃ４は、内枠２の略正方形の筒状な状態を安定させるとともに、内枠２の上部開口部２ｐを閉塞することとなる。
なお、上記閉塞板Ｃ４は必ず必要なものでもなく、収納物を投入する場合にはこの閉塞板Ｃ４を取外してもよいけれども、閉塞板Ｃ４を取付けた状態で収納物が投入できるように、閉塞板Ｃ４の中央には四辺形の収納物投入口Ｃ４ｉを設けている。【０００９】  次に、図１５〜図１８により従来の組立収納容器Ｄを説明する。
組立収納容器Ｄは、上記の従来の組立収納容器Ｃにおける内枠２内に、収納袋６を２枚装着するものであり、外枠１、内枠２は従来の組立収納容器Ｃと共通とし、この他に組立収納容器Ｄは、傾斜板Ｄ３、閉塞板Ｄ４、分割板５より構成されている。【００１０】  傾斜板Ｄ３は組立収納容器Ｃにおける傾斜板Ｃ３と同等であり、辺Ｄ３ｂ〜Ｄ３ｅ、Ｄ３ｌ〜Ｄ３ｏ、Ｄ３ｐ〜Ｄ３ｓ、折曲げ線Ｄ３ａ、Ｄ３ｆ、Ｄ３ｇ、のり代Ｄ３ｈ、Ｄ３ｉ、切込線Ｄ３ｉ、Ｄ３ｋ、係止孔Ｄ３ｔ、Ｄ３ｕは、組立収納容器Ｃにおける辺Ｃ３ｂ〜Ｃ３ｅ、Ｃ３ｌ〜Ｃ３ｏ、Ｃ３ｐ〜Ｃ３ｓ、折曲げ線Ｃ３ａ、Ｃ３ｆ、Ｃ３ｇ、のり代Ｃ３ｈ、Ｃ３ｉ、切込線Ｃ３ｊ、Ｃ３ｋ、係止孔Ｃ３ｔ、Ｃ３ｕにそれぞれ相当するものである。また、組立収納容器Ｃと同等の接着要領にて外枠１の側板１ａ、１ｃに傾斜板Ｄ３を接合している。
ただし、対向する長辺Ｄ３ｅ、Ｄ３ｅに平行するところの中心線Ｄ３ｖ上に、長方形なる分割板係止孔Ｄ３ｗ〜Ｄ３ｚを４箇所設けている。【００１１】  分割板５は厚み０．５ｍｍ程度の厚紙を用い、内枠２内を対向する側板２ａ、２ｃに平行して２分割するものであり、この分割板５の三辺５ａ〜５ｃからなる逆三角形の外形形状において、斜辺５ｂ、５ｃはＶ字形に配設した傾斜板Ｄ３に沿っており、上辺５ａは傾斜板Ｄ３の係止孔Ｄ３ｔ、Ｄ３ｕの下辺Ｄ３ｍ、Ｄ３ｓとほぼ同等な高さとなっている。
また、斜辺５ｂ、５ｃには、傾斜板Ｄ３の分割板係止孔Ｄ３ｗ〜Ｄ３ｚに挿入するところの分割板係止凸部５ｄ〜５ｇを４箇所設けている。
したがって、分割板５を内枠２内に配設し、分割板係止凸部５ｄ〜５ｇを傾斜板Ｄ３の分割板係止孔Ｄ３ｗ〜Ｄ３ｚにそれぞれ挿入するならば、内枠２内は２分割されて２枚の納袋装６が、組立収納容器Ｃの要領にてそれぞれ装着されることとなる。【００１２】  閉塞板Ｄ４は組立収納容器Ｃにおける閉塞板Ｃ４と同等であり、四辺Ｄ４ａ〜Ｄ４ｄ、Ｄ４ｊ〜Ｄ４ｍ、Ｄ４ｎ〜Ｄ４ｑ、閉塞部Ｄ４ｅ、係止凸部Ｄ４ｆ、Ｄ４ｇは、組立収納容器Ｃにおける四辺Ｃ４ａ〜Ｃ４ｄ、Ｃ４ｊ〜Ｃ４ｍ、Ｃ４ｎ〜Ｃ４ｑ、閉塞部Ｃ４ｅ、係止凸部Ｃ４ｆ、Ｃ４ｇにそれぞれ相当するものである。
ただし、この閉塞板Ｄ４で閉塞することとなる内枠２の上部開口部２ｐは、分割板５にて２分割されており、この２分割された上部開口部２ｐに対応して、組立収納容器Ｃにおける収納物投入口Ｃ４ｉのほぼ半分程度の大きさからなる１対の分割収納物投入口Ｄ４ｓ、Ｄ４ｔを設けている。
【発明の開示】
【発明が解決しようとする課題】
【００１３】  以上に述べた従来の折畳み方式の組立収納容器では、収納袋がゴミ等の収納物にて満杯となった場合、新しい収納袋に取り替えるか、収納袋から収納物を取出し別の収納容器に移し替えて、再度この収納袋を取り付けていた。【００１４】  本発明は、このような従来の構造が有していた問題を解決しようとするものであり、収納物を別の収納容器に簡単に移し替えができることを目的とするものである。
【課題を解決するための手段】
【００１５】  そして、本発明は上記目的を達成するために、組立収納容器の筒状な状態を安定させるところのＶ字形断面の傾斜板上に、扁平状に折畳み自在なる逆山形状の収納体を着脱自在に載置している。【００１６】  また、収納物を分類し、種類毎に別々に分けて収集するために、組立収納容器内を分割板をもって２分割し、これに対応する１対の分割収納体を設けている。【００１７】  また、組立収納容器内が露見することなく外観的にも問題のないものとするために、上部開口部に収納物投入口を有する閉塞板を設けている。
【発明の効果】
【００１８】  上述したように本発明における組立収納容器は、扁平状に折畳み自在なる逆山形状の収納体を、Ｖ字形断面の傾斜板上に載置しているので、この収納体の着脱が容易であり、収納物を別の収納容器に簡単に移し替えができることとなる。【００１９】  また、組立収納容器内に設けた分割板は、１対の分割収納体を装着することができ、収納物を分類し、種類毎に別々に分けて収集できることとなる。【００２０】  また、収納物投入口を有する閉塞板は上部開口部を閉塞して、組立収納容器内が露見することなく外観的にも問題のないものとなる。
【発明の実施するための最良の形態】
【００２１】  以下、本発明の実施の形態１及び２を、図１〜図４及び図５〜図７に基づいて説明する。
【００２２】  先ず、実施の形態１を示す図１〜図４において、組立収納容器Ａは外枠１、内枠２、傾斜板Ｃ３、閉塞板Ｃ４、収納体Ｅより構成されている。
実施の形態１は、従来の組立収納容器Ｃに収納体Ｅを付設するものであり、外枠１、内枠２、傾斜板Ｃ３、閉塞板Ｃ４は、従来の組立収納容器Ｃのものと共通としている。
したがって、断面形状が略正方形の折畳み自在なる筒状にした外枠１内に、この略正方形なる断面形状を保持するところの内枠２を配設し、外枠１に接合する傾斜板Ｃ３と、内枠２の上部開口部２ｐを閉塞する閉塞板Ｃ４は、外枠１及び内枠２の略正方形の筒状な状態を安定させることとなる。
【００２３】  収納体Ｅは、収納板Ｅ７と１対の横板８、９から構成されている。
四辺Ｅ７ａ〜Ｅ７ｄからなる長方形の収納板Ｅ７は、厚み０．２ｍｍ程度の厚紙を用い、Ｖ字形断面でもって外枠１に接合した傾斜板Ｃ３上に載置するものであり、四辺Ｅ７ａ〜Ｅ７ｄのうちの短辺Ｅ７ａ、Ｅ７ｃの長さは、傾斜板Ｃ３の短辺Ｃ３ｂ、Ｃ３ｄとほぼ同等とし、Ｖ字形断面とした状態の短辺Ｅ７ａ、Ｅ７ｃの高さは、傾斜板Ｃ３の係止孔Ｃ３ｔ、Ｃ３ｕの下辺Ｃ３ｍ、Ｃ３ｓ位置とほぼ同等としている。なお、傾斜板Ｃ３の折曲げ線Ｃ３ａに対応して収納板Ｅ７を二等分するところの折曲げ線Ｅ７ｅを設けており、これにより収納板Ｅ７は扁平状に折畳みができることとなる。
【００２４】  １対の横板８、９は、Ｖ字形断面とした収納板Ｅ７の両端に付設しており、厚み０．１ｍｍ程度の模造紙を用い、収納板Ｅ７のＶ字形断面に対応して逆三角形からなり、この三辺８ａ〜８ｃ、９ａ〜９ｃのうちの斜辺８ａ、８ｂ、９ａ、９ｂに沿って設けられたのり代８ｄ、８ｅ、９ｄ、９ｅを、収納板Ｅ７に接着剤にて貼り合わせて逆山形状に形成している。
また、こののり代８ｄ、８ｅ、９ｄ、９ｅは折曲げ線８ｆ、８ｇ、９ｆ、９ｇをもって斜辺８ａ、８ｂ、９ａ、９ｂに設けられ、さらに、横板８、９には斜辺８ａ、８ｂ、９ａ、９ｂが交わる交点８ｍ、９ｍより放射線状に折曲げ線８ｈ〜８ｌ、９ｈ〜９ｌが設けられており、この１対の横板８、９と収納板Ｅ７を逆山形状に形成したものを、収納板Ｅ７を二等分する折曲げ線Ｅ７ｅをもって扁平状に折畳む場合、この間に１対の横板８、９もジャバラ折にて折畳まれることとなる。
したがって、折畳み自在なる逆山形状の収納体Ｅが、ゴミ等の収納物で満杯となった場合、この収納体Ｅを傾斜板Ｃ３上より取り上げて中の収納物を別の容器に移し替え、また元の位置の傾斜板Ｃ３上に載置すればよいこととなる。
【００２５】  次に、実施の形態２を示す図５〜図７において、組立収納容器Ｂは外枠１、内枠２、傾斜板Ｄ３、閉塞板Ｄ４、分割板５、分割収納体Ｆ、Ｇより構成されている。
組立収納容器Ｂは、従来の組立収納容器Ｄに１対の分割収納体Ｆ、Ｇを付設するものであり、外枠１、内枠２、傾斜板Ｄ３、閉塞板Ｄ４、分割板５は、従来の組立収納容器Ｄのものと共通としている。
したがって、断面形状が略正方形の折畳み自在なる筒状にした外枠１内に、この略正方形なる断面形状を保持するところの内枠２を配設し、外枠１に接合する傾斜板Ｄ３と、分割板５にて２分割された内枠２の上部開口部２ｐを閉塞する閉塞板Ｄ４は、外枠１及び内枠２の略正方形の筒状な状態を安定させることとなる。
【００２６】  分割収納体Ｆ、Ｇは、実施の形態１の収納体Ｅを分割板５でもって２分割した大きさのものであり、長方形なる分割収納板Ｆ７、Ｇ７の四辺Ｆ７ａ〜Ｆ７ｄ、Ｇ７ａ〜Ｇ７ｄのうちの対向する短辺Ｆ７ａ、Ｆ７ｃ、Ｇ７ａ、Ｇ７ｃは、実施の形態１の収納板Ｅ７の短辺Ｅ７ａ、Ｅ７ｃより、分割板５の板厚を差引いて２等分した大きさとし、対向する長辺Ｆ７ｂ、Ｆ７ｄ、Ｇ７ｂ、Ｇ７ｄは実施の形態１の収納板Ｅ７の長辺Ｅ７ｂ、Ｅ７ｄと同等としている。なお、当然ながら分割収納板Ｆ７、Ｇ７を二等分するところの折曲げ線Ｆ７ｅ、Ｇ７ｅも、実施の形態１の収納板Ｅ７の折曲げ線Ｅ７ｅより、分割板５の板厚を差引いて２等分した大きさとなっている。
なお、収納板Ｆ７、Ｇ７の両端に付設するところの１対の横板８、９は、実施の形態１の収納体Ｅの横板８、９と同等であり、この分割収納板Ｆ７、Ｇ７と横板８、９を実施の形態１の要領にてそれぞれ逆山形状に形成するならば、分割収納体ＦとＧは１対の対称形なものとなる。
したがって、２分割された内枠２内には、実施の形態１の要領にて一対の分割収納体Ｆ、Ｇがそれぞれ装着されることとなる。
【００２７】  上記の実施の形態１及び２においては、従来の組立収納容器Ｃ、Ｄにおけるゴミ等を収納する収納袋６の代わりに、収納体Ｅ、分割収納体Ｆ、Ｇを装着しているが、収納袋６と収納体Ｅ、分割収納体Ｆ、Ｇを併用しても問題はない。
また、外枠１、内枠２、傾斜板Ｃ３、Ｄ３、閉塞板Ｃ４、Ｄ４、収納板Ｅ７、分割収納板Ｆ７、Ｇ７はそれぞれ厚紙としているが、これをプラスック板や木製板等とし、折曲げ線を要する角には軟質なるプラスチック板等を使用してもよい。
また、外枠１の側板１ａ〜１ｄの板厚が薄い場合、側板の上辺及び下辺に折り返しを設け、これを互いに接着して補強としてもよいが、上辺及び下辺に沿って市販のテープ等の帯状補強材を貼付けてもよい。また、外枠の側板の上辺折り返しの大きさを外枠の高さと同等とし、側板を二重としてもよい。
この時、外枠の二重の側板の間に、内枠を下方向より挿入して付設してもよい。しかしながら、この外枠の４角のうちの３角は二重となっても、外枠を筒状に接着するところの角は二重にはならないため、内枠の４角のうちの１角は分割して挿入する必要がある。
また、内枠の４角の全てを分割して、４枚にした四辺形の側板を、外枠の二重の側板の間にそれぞれ挿入して補強としてもよい。なお、この４枚の側板は、外枠を筒状に形成した後に挿入する必要はなく、外枠の４側板のうちの傾斜板Ｃ３、Ｄ３を接合した対向する２側板には、折畳み時より挿入してあっても問題はなく、他の２側板だけ筒状に形成後に挿入してもよい。この時、二重の側板の間に下方向より挿入してもよいが、外枠と傾斜板Ｃ３、Ｄ３のＶ字形になった長辺Ｃ３ｃ、Ｃ３ｅ及びＤ３ｃ、Ｄ３ｅの間に、上方向より挿入してもよい。
【００２８】  また、収納体Ｅ、分割収納体Ｆ、Ｇの横板８、９は、外形形状を逆三角形として放射線状に折曲げ線８ｆ〜８ｌ、９ｆ〜９ｌを設けているが、この横板の外形形状を四辺形とし、折曲げ線を対向する二辺に平行なものとするならば、収納板Ｅ７、分割収納板Ｆ７、Ｇ７をＶ字形に開放する場合、折曲げ線８ｆ〜８ｌ、９ｆ〜９ｌが交わる交点８ｍ、９ｍ付近の横板は、ジャバラ折に折畳まれたままの状態となるが、収納体の機能に大きな問題とはならない。したがって、放射線状の折曲げ線８ｆ〜８ｌ、９ｆ〜９ｌより平行なる折曲げ線のほうが配設が簡単であるならば、横板の外形形状を四辺形とし、折曲げ線を対向する二辺に平行するものとしてもよい。
また、厚紙を用いた収納板Ｅ７、分割収納板Ｆ７、Ｇ７を板厚が薄いものとするならば、この収納体は紙袋として移し替えすることなく廃棄できるものとなるが、この開口部を密閉するためには収納量を減少させる必要が生じることとなる。そこで、開口部を形成する収納板Ｅ７、分割収納板Ｆ７、Ｇ７の短辺Ｅ７ａ、Ｅ７ｃ、Ｆ７ａ、Ｆ７ｃ、Ｇ７ａ、Ｇ７ｃ、及び、逆三角形の横板８、９の上辺８ｃ、９ｃにそれぞれ折り返しを設け、収納体として使用する時はそれぞれ二重とし、廃棄する時はこれを開放して開口部を密閉するようにしてもよい。
【００２９】  また、閉塞板Ｃ４、Ｄ４の係止凸部Ｃ４ｆ、Ｃ４ｇ、Ｄ４ｆ、Ｄ４ｇにおける、内枠２に当接するところの長辺Ｃ４ｊ、Ｃ４ｎ、Ｄ４ｊ、Ｄ４ｎの延長上に、折曲げ線をもってほぼ直角に折曲げられるところの係止片を付設して、この係止片を傾斜板Ｃ３、Ｄ３の係止孔Ｃ３ｔ、Ｃ３ｕ、Ｄ３ｔ、Ｄ３ｕに挿入して、閉塞板Ｃ４、Ｄ４が確実に内枠２の上部開口部２ｐに取り付けられるようにしてもよい。
また、閉塞板Ｃ４、Ｄ４には収納物投入口Ｃ４ｉ、分割収納物投入口Ｄ４ｓ、Ｄ４ｔを開口して、完全には中の収納物が見えないようにはならないが、これが完全に見えることのないように、閉塞部Ｃ４ｅ、Ｄ４ｅの対向する短辺Ｃ４ａ、Ｃ４ｃ、Ｄ４ａ、Ｄ４ｃのうちの１辺の延長上に、折曲げ線をもって開閉自在に収納物投入口Ｃ４ｉ、分割収納物投入口Ｄ４ｓ、Ｄ４ｔを閉塞するカバーを付設してもよい。また、このカバーを個別なものとして、内枠２の側板２ａ、２ｃと、傾斜板Ｃ３、Ｄ３のＶ字形になった長辺Ｃ３ｃ、Ｃ３ｅ、Ｄ３ｃ、Ｄ３ｅとの間に、上方向より挿入できるところの係止板に折曲げ線をもって接合して、内枠２の上部開口部２ｐを開閉自在に閉塞するようにしてもよい。
また、同様に、この内枠２と傾斜板Ｃ３、Ｄ３との間に挿入できるところの係止板に、開閉自在なる折曲げ線により折畳み自在なる筒状なものを、折曲げ線をもって接合して外枠１外側に並設するならば、着脱自在な小物入れとして便利なものとなる。
また、分割板５は内枠２内を２分割して１対の分割収納体Ｆ、Ｇを装着しているが、複数の分割板で内枠２を分割すれば、３個以上の分割収納体を装着できることとなる。
【図面の簡単な説明】
【００３０】
【図１】本発明の実施の形態１を示す組立収納容器Ａの側面より見た要部断面図
【図２】同収納体の平面より見た要部断面図
【図３】同収納板の展開図
【図４】同横板の展開図
【図５】本発明の実施の形態２を示す組立収納容器Ｂの側面より見た要部断面図
【図６】同分割収納体の平面より見た要部断面図
【図７】同分割収納板の展開図
【図８】従来の組立収納容器Ｃの側面より見た要部断面図
【図９】同外枠の平面図
【図１０】同外枠の折畳んだ状態における平面図
【図１１】同内枠の平面図
【図１２】同内枠の折畳んだ状態における平面図
【図１３】同傾斜板の展開図
【図１４】同閉塞板の平面図
【図１５】従来の組立収納容器Ｄの側面より見た要部断面図
【図１６】同傾斜板の展開図
【図１７】同閉塞板の平面図
【図１８】同分割板の平面図
【符号の説明】
【００３１】                                                    Ａ、Ｂ、Ｃ、Ｄ  組立収納容器
Ｃ３、Ｄ３  傾斜板
Ｃ３ａ、Ｃ３ｆ、Ｃ３ｇ、Ｄ３ａ、Ｄ３ｆ、Ｄ３ｇ
Ｅ７ｅ、Ｆ７ｅ、Ｇ７ｅ、１ｊ〜１ｏ、２ｊ〜２ｏ、８ｆ〜８ｌ、９ｆ〜９ｌ  折曲げ線
Ｃ３ｂ〜Ｃ３ｅ、Ｃ３ｌ〜Ｃ３ｓ
Ｃ４ａ〜Ｃ４ｄ、Ｃ４ｊ〜Ｃ４ｑ、Ｄ３ｂ〜Ｄ３ｅ、Ｄ３ｌ〜Ｄ３ｓ
Ｄ４ａ〜Ｄ４ｄ、Ｄ４ｊ〜Ｄ４ｑ、Ｅ７ａ〜Ｅ７ｄ、Ｆ７ａ〜Ｆ７ｄ
Ｇ７ａ〜Ｇ７ｄ、１ｐ、１ｑ、５ａ〜５ｃ、８ａ〜８ｃ、９ａ〜９ｃ  辺
Ｃ３ｈ、Ｃ３ｉ、Ｄ３ｈ、Ｄ３ｉ、１ｉ、２ｉ、８ｄ、８ｅ、９ｄ、９ｅ  のり代
Ｃ３ｊ、Ｃ３ｋ、Ｄ３ｊ、Ｄ３ｋ  切込線
Ｃ３ｔ、Ｃ３ｕ、Ｄ３ｔ、Ｄ３ｕ  係止孔
Ｃ４、Ｄ４  閉塞板
Ｃ４ｅ、Ｄ４ｅ  閉塞部
Ｃ４ｆ、Ｃ４ｇ、Ｄ４ｆ、Ｄ４ｇ  係止凸部
Ｃ４ｉ  収納物投入口
Ｄ３ｖ  中心線
Ｄ３ｗ〜Ｄ３ｚ  分割板係止孔
Ｄ４ｓ、Ｄ４ｔ  分割収納物投入口
Ｅ  収納体
Ｅ７  収納板
Ｆ、Ｇ  分割収納体
Ｆ７、Ｇ７  分割収納板
１  外枠
１ａ〜１ｄ、２ａ〜２ｄ  側板
１ｅ〜１ｈ、２ｅ〜２ｈ  角
１ｒ  下部開口部
１ｓ  ２分割線
２  内枠
２ｐ  上部開口部
５  分割板
５ｄ〜５ｇ  分割板係止凸部
６  収納袋
６ａ、６ｂ  収納袋開口縁
８、９  横板
８ｍ、９ｍ  交点
【図１】
2006347768.tif 000003
【図２】
2006347768.tif 000004
【図３】
2006347768.tif 000005
【図４】
2006347768.tif 000006
【図５】
2006347768.tif 000007
【図６】
2006347768.tif 000008
【図７】
2006347768.tif 000009
【図８】
2006347768.tif 000010
【図９】
2006347768.tif 000011
【図１０】
2006347768.tif 000012
【図１１】
2006347768.tif 000013
【図１２】
2006347768.tif 000014
【図１３】
2006347768.tif 000015
【図１４】
2006347768.tif 000016
【図１５】
2006347768.tif 000017
【図１６】
2006347768.tif 000018
【図１７】
2006347768.tif 000019
【図１８】
2006347768.tif 000020